(57)【要約】  本発明は電動モータに関し、（Ａ）環状ロータが等角度で離間され、かつ半径方向に向いて等間隔に環状に配置される複数の電磁石を含み、（Ｂ）ステータが等角度で離間され、かつ半径方向に向いて等間隔に配置される複数のソレノイドであって、前記ソレノイド群の各ソレノイドがソレノイドコアを有し、前記ソレノイドコアが順に、矩形の断面形状と、空洞と、を有する、前記複数のソレノイドと、前記ソレノイド群の各ソレノイド内のソレノイドコイルと、を含み、前記電磁石群は、これらの電磁石が、前記ソレノイドコアの前記空洞内を回転しながら移動することができるように配置され、前記複数の電磁石の負側コイル端子及び正側コイル端子がそれぞれ、それぞれの負側金属周方向帯状体及び正側金属周方向帯状体に並列接続され、前記電磁石コイルに流れ込む電流は、電源から、前記負側帯状体及び前記正側帯状体にそれぞれ接触している。【選択図】図４
2018534902.tif 000002
【特許請求の範囲】
【請求項１】
電動モータであって：
（Ａ）環状ロータであって、前記環状ロータが：
ａ．等角度で離間され、かつ半径方向に向いて等間隔に環状に配置される複数の電磁石を含む、前記環状ロータと、
（Ｂ）ステータであって、前記ステータが：
ｂ．等角度で離間され、かつ半径方向に向いて等間隔に配置される複数のソレノイドであって、前記ソレノイド群の各ソレノイドがソレノイドコアを有し、前記ソレノイドコアが順に、矩形の断面形状と、空洞と、を有する、前記複数のソレノイドと、
ｃ．前記ソレノイド群の各ソレノイド内のソレノイドコイルと、を含む、前記ステータと、を備え、
前記電磁石群は、これらの電磁石が、前記ソレノイドコアの前記空洞内を回転しながら移動することができるように配置され、前記複数の電磁石の負側コイル端子及び正側コイル端子がそれぞれ、それぞれの負側金属周方向帯状体及び正側金属周方向帯状体に並列接続され、前記電磁石コイルに流れ込む電流は、電源から、前記負側帯状体及び前記正側帯状体にそれぞれ接触している２つのブラシを介して供給される電動モータ。
【請求項２】
前記ロータは多層モータであり、層群の１つの層が歯付き環状体であり、前記ロータの回転モーメントが、前記歯付き環状体から歯車に伝達され、前記歯車に対して、シャフトが高剛性に取り付けられる請求項１に記載のモータ。
【請求項３】
前記複数の電磁石は回転ディスクに取り付けられ、前記回転ディスクが順に、シャフトと同心円状に設けられ、前記ロータディスクは、前記ソレノイド群の各ソレノイドのそれぞれのディスクスロット内に位置決めされ、それぞれのディスクスロット内を回転することができる請求項１に記載のモータ。
【請求項４】
前記電源から前記電磁石コイルに流れる前記電流はＤＣ（直流）電流であり、前記ソレノイドコイルに流れ込む電流は交流電流である請求項１に記載のモータ。
【請求項５】
前記電源から前記電磁石コイルに流れる前記電流が交流電流であるのに対し、前記ソレノイドコイルに流れ込む電流はＤＣ電流である請求項１に記載のモータ。
【発明の詳細な説明】
【技術分野】
【０００１】
本発明は、電動モータの分野に関するものである。更に詳細には、本発明は、ステータに設けられるソレノイドと、ロータに設けられる複数の電磁石と、を含む電動モータに関するものである。
【背景技術】
【０００２】
回転式の電動モータは良く知られており、現在では電気エネルギーを機械エネルギーに変換するために長きにわたり広く使用されている。通常の電動モータはロータ及びステータを備えている。
【０００３】
ロータはモータの可動部であり、ロータは、回転モーメントを負荷に伝達する回転シャフトを備える。ロータは通常、導体を備え、導体に電流を流して次に電磁場を生成し、電磁場がステータの磁場と相互作用してシャフトを回転させる力を発生させる。別の構成では、ロータが永久磁石を備えているのに対し、ステータは導体を備えている。
【０００４】
ステータは、今度は、モータの電磁気回路の固定部であり、前述した通り、巻線または永久磁石のいずれかを備える。ステータコアは通常、積層板と呼ばれる多くの薄い金属板により構成される。積層板を使用してエネルギー損失を低減させ、積層板を使用しないで中実コアを使用した場合にはエネルギー損失を伴う。
【０００５】
電動モータは、機械エネルギーを電気エネルギーに変換する逆変換機能にも使用され、このような場合では、電動モータは実際には、発電機である。
【０００６】
特許文献１には、ステータに設けられる複数のソレノイドと、ロータに設けられる複数の永久磁石と、を備える電動モータが開示されている。ステータのソレノイド群は、円形平面に半径方向に向いて配置され、かつ等角度で離間される；ソレノイド群の各ソレノイドは間隙を有し、この間隙内を、ロータの永久磁石が移動する。ロータが今度は、略環状構造に配置される前記複数の磁石を備え、前記磁石群は、等角度で互いに離間される。隣接する磁石の間の隙間（このような隙間が発生する場合の）には、高透磁性材料が充填されることが好ましい。いずれにしても、磁石及び高透磁性材料（充填する場合の）が環状構造を形成する。電流をソレノイド群の全てに同時に供給して、永久磁石群の全てを、ソレノイドに対して特定の方向に押すか、または引っ張ることにより、磁石リングが回転するようにする。特許文献１に記載の実施形態では、幾つかの更に別の環状層を永久磁石の環状層の上方及び下方に設け、前記層群の全てが一体となってソレノイドの間隙内を回転する。特許文献１に記載の前記更に別の環状層群のうちの１つの環状層は歯付き環状体であり、歯付き環状体が永久磁石層（及び、これらの層のうち、永久磁石層の上下の残りの層）の回転モーメントを歯付きディスク（機械式歯車）に伝達し、歯付きディスクは、当該歯付きディスクが回転すると、歯付きディスクに高剛性に取り付けられるモータのシャフトを回転させる。
【０００７】
同時係属中の特許文献２には：（Ａ）ロータと；（Ｂ）ステータと、を備える電動モータが開示されており、ロータは：（ａ）同心円状のシャフト及びディスクと；（ｂ）前記ディスク上に等角度で離間され、かつ半径方向に向いて等間隔に配置される複数の永久磁石と、を備え、ステータは：（ｃ）等角度で離間され、かつ半径方向に向いて等間隔に配置される複数のソレノイドであって、前記ソレノイド群の各ソレノイドが、今度は矩形の断面形状を有するソレノイドコアと、空洞と、ディスクスロットと、を有する、前記複数のソレノイドと；（ｄ）前記ソレノイド群の各ソレノイド内のコイルと、を備え；前記ロータディスクは、前記ソレノイドスロット内に位置決めされ、前記永久磁石は、前記ロータディスクが回転しているときに、これらの永久磁石が、ソレノイドコアの前記空洞内を回転しながら通過することができるように配置される。電流をソレノイド群に供給して、永久磁石群を特定の方向に同時に押すか、または引っ張ることにより、磁石が回転するようにし、実際にロータディスクが回転するようにする。
【０００８】
上に説明したように、特許文献１及び特許文献２の両方に記載の電動モータはそれぞれ、永久磁石を電動モータのロータに備えている。しかしながら、永久磁石は、比較的高価であり、電磁石と比べると非常に高価である。従って、特許文献１及び特許文献２に記載のモータの永久磁石を電磁石に置き換えることが望ましい。
【０００９】
別の態様では、特許文献１及び特許文献２に記載のモータの両方において、ソレノイドコイルに供給される電流の方向を周期的に（すなわち、ディスクの各周期中に数回）切り替えて、電磁場の向きをそれぞれ変える必要がある。明らかに、永久磁石の極性を変えることはできないので、電流方向の変更が、回転を維持するための唯一の方法である。
【先行技術文献】
【特許文献】
【００１０】
【特許文献１】国際公開第２０１３／１４０４００号
【特許文献２】英国特許出願第１５１１２２６．１号
【発明の概要】
【発明が解決しようとする課題】
【００１１】
従って、本発明の目的は、特許文献１及び特許文献２に開示されているモータのようなソレノイド磁石式モータのコストを大幅に下げることを可能にすることにある。
【００１２】
本発明の別の目的は、特許文献１及び特許文献２に開示されているモータのようなソレノイド磁石式モータを回転させる方法のフレキシビリティを高めることを可能にすることにある。
【００１３】
本発明の他の目的及び利点は、説明が進むにつれて明らかになる。
【課題を解決するための手段】
【００１４】
本発明は電動モータに関するものであり、電動モータは：（Ａ）環状ロータであって、前記環状ロータが：等角度で離間され、かつ半径方向に向いて等間隔に環状に配置される複数の電磁石を含む、前記環状ロータと；（Ｂ）ステータであって、前記ステータが：等角度で離間され、かつ半径方向に向いて等間隔に配置される複数のソレノイドであって、前記ソレノイド群の各ソレノイドがソレノイドコアを有し、前記ソレノイドコアが今度は、矩形の断面形状と、空洞と、を有する、前記複数のソレノイドと；前記ソレノイド群の各ソレノイド内のソレノイドコイルと、を含む、前記ステータと、を備え；前記電磁石群は、これらの電磁石が、前記ソレノイドコアの前記空洞内を回転しながら移動することができるように配置され、前記複数の電磁石の負側コイル端子及び正側コイル端子がそれぞれ、それぞれの負側周方向帯状体及び正側周方向帯状体に並列接続され、前記電磁石コイルに流れ込む電流は、電源から２つのブラシを介してそれぞれ前記負側帯状体及び前記正側帯状体に供給される。
【００１５】
本発明の１つの実施形態では、前記ロータは多層モータであり、層群の１つの層が歯付き環状体であり、前記ロータの回転モーメントが、前記歯付き環状体から歯車に伝達され、前記歯車に対して、シャフトが高剛性に取り付けられる。
【００１６】
本発明の別の実施形態では、前記複数の電磁石は回転ディスクに取り付けられ、前記回転ディスクが今度は、シャフトと同心円状に設けられ、前記ロータディスクは、前記ソレノイド群の各ソレノイドのそれぞれのディスクスロット内に位置決めされ、それぞれのディスクスロット内を回転することができる。
【００１７】
前記電源から前記電磁石コイルに流れる前記電流がＤＣ電流であるのに対し、前記ソレノイドコイルに流れ込む電流は交流電流である。別の構成として、前記電源から前記電磁石コイルに流れる前記電流が交流電流であるのに対し、前記ソレノイドコイルに流れ込む電流はＤＣ電流である。
【図面の簡単な説明】
【００１８】
【図１】特許文献１に記載のモータの概略構造を示している。
【図２】特許文献２に記載のモータの概略構造を示している。
【図３】特許文献１に記載のモータのロータ構造を示している。
【図４】本発明の第１の実施形態によるソレノイド−電磁石式モータのロータを示している。
【図５】本発明の第２の実施形態によるソレノイド−電磁石式モータのロータを示している。
【発明を実施するための形態】
【００１９】
上に説明したように、ソレノイド及び永久磁石を組み合わせて使用するモータ、更に詳細には、永久磁石が、特許文献１及び特許文献２に開示されているモータのように、ソレノイド内の間隙内または空洞内を移動する構成のモータ（以後、この種類のモータは、「ｓｏｌｅｎｏｉｄ−ｐｅｒｍａｎｅｎｔ  ｍａｇｎｅｔｓ  ｔｙｐｅ  ｍｏｔｏｒｓ（ソレノイド−永久磁石式モータ）」と表記される）は、比較的高価であり、特に高価な永久磁石を使用しているために高価である。更に、これらのモータが動作するためには、電磁場の向きを頻繁に変える必要があり、電磁場の向きは、ソレノイドに供給される電流の方向を変えることによってのみ変えることができる。
【００２０】
図１は、特許文献１に記載のモータの概略構造を示している。モータは、各ソレノイドが間隙を有する構成の複数のソレノイド６２を有するステータと、環状構造に配置される複数の永久磁石６１を含むロータと、を備える。図１には図示されていないが、高透磁性材料から成るロッドを任意の２つの隣接する磁石２３の間に配置して環状構造を完成させる。電流をソレノイドのコイルに供給し、ソレノイドに供給する電流の方向を周期的に変えると、ロータの環状構造が回転する。ロータは更に、歯付き環状体１０１を備え、歯付き環状体１０１が回転モーメントを歯車６３及びシャフト６７に伝達する。モータ全体はベース６５により支持される。
【００２１】
図２は、特許文献２に記載のモータの概略構造を示している。モータは、各ソレノイドが空洞を有する構成の複数のソレノイド３１ａ〜３１ｈを有するステータと、環状構造に配置される複数の永久磁石２３ａ〜２３ｈを含むロータと、を備える（環状構造は図２に明確には図示されていないが、図３に示されている）。環状構造に配置される永久磁石２３は、支持用ディスク２２上に配置される。上に説明したように、図２には図示されていないが、強磁性（例えば、鉄）ロッドが、任意の２つの隣接する磁石２３の間に配置されて環状構造を完成させる。ソレノイド３１を、電流（電流の方向は適宜入れ替わる）を供給することにより適切に作動させると、ロータ、すなわちディスク２２が回転する。ロータは更に、ディスク２２に高剛性に取り付けられるシャフト２１を備える。モータ全体はベース３２により支持される。
【００２２】
図３は、特許文献１に記載のモータのロータ構造（ディスク２２は、図を分かり易くするために図から削除されている）を示しており、任意の隣接する永久磁石ペアの間に配置される強磁性（例えば、鉄）ロッド２５ａ〜２５ｈが更に図示されている。
【００２３】
本発明の発明者らは、このような「ｓｏｌｅｎｏｉｄ−ｐｅｒｍａｎｅｎｔ  ｍａｇｎｅｔｓ  ｔｙｐｅ  ｍｏｔｏｒｓ（ソレノイド−永久磁石式モータ）」のコストは、ロータに設けられる永久磁石群の各永久磁石を適切な電磁石に置き換えることにより大幅に低減させることができるという知見を得ている。
【００２４】
図４は、本発明によるソレノイド−電磁石式モータのロータを示している。ロータは図３のロータとほぼ同じであるが、磁石２３ａ〜２３ｈの各磁石が電磁石１２３ａ〜１２３ｈにそれぞれ置き換えられている。電磁石群１２３の各電磁石は、鉄コア（好適には、積層コア）に巻回される１本以上のコイル（図を分かり易くするために、この図には図示されていない）を備える。従来と同じく、各コイルは、電流供給がそれぞれに対して行われる２つのエンド部を有し、これらのコイルエンド部は、本明細書においては、簡潔性を期して、コイルの「正側」端子及び「負側」端子と表記することとする。電磁石１２３のコイルの正側端子群の全ては、一括して「正側」金属周方向帯状体１４４に接続され、同様に、電磁石１２３のコイルの負側端子群の全ては、一括して「負側」金属周方向帯状体１４５に接続される。このように、電磁石のコイル群の全ては実際には、並列接続される。回転モータの電磁石１２３に対する電流供給は、電源１４６から、この技術分野で公知の従来のブラシペア１４７ａ及び１４７ｂを介して行われる。更に詳細には、「正側」ブラシ１４７ａが、正側帯状体１４４に継続的に接触しているのに対し、「負側」ブラシ１４７ｂは、負側帯状体１４５に継続的に接触している。このように、実際に、電磁石１２３ａ〜１２３ｈの各電磁石がそれぞれ、１つの永久磁石２３ａ〜２３ｈに置き換わって用いられる。動作状態では、各電磁石のコアは、実際には、Ｎ極−Ｓ極を持つ磁石として機能し、「ソレノイド−永久磁石式モータ」の対応する永久磁石に機能的に置き換わって用いられる。
【００２５】
図４に示すように電流を電磁石にブラシ及び帯状体１４４及び１４５のそれぞれを介して供給する方法は一例に過ぎないことに留意されたい。この技術分野で公知の他の装置及び方法を別の構成として使用することができる。
【００２６】
各電磁石が図１〜図３のモータのそれぞれの永久磁石と同様に機能するために、ＤＣ（直流）電流を電源１４６から供給する必要がある。
【００２７】
別の構成として、電源１４６は、交流電流を電磁石１２３に適宜供給する（ブラシ１４７ａ及び１４７ｂを介して）ことにより、電磁石のコアのＮ極−Ｓ極を交互に周期的に変えることができる。従って、このようにして、ソレノイドコアの極性を交互に周期的に変えるのではなく、後者の本実施形態では、ロータ電磁石の極性を変える。
【００２８】
図５は、図１のモータ（すなわち、特許文献１に記載のモータ）を変更して、永久磁石ではなく電磁石を取り入れる過程を示している。図１の永久磁石群６１の各永久磁石は、対応する電磁石（分かり易くするために図５には図示されていない）に置き換えられる。前記電磁石群の各電磁石は、鉄コアに巻回される１本以上のコイル（分かり易くするためにこの図には図示されていない）を備える。従来のように、各コイルは２つの端子、負側端子及び正側端子をそれぞれ有する。図４のモータと同様に、電磁石のコイルの正側端子群の全ては、一括して「正側」金属周方向帯状体７７に接続され、同様に、電磁石のコイルの負側端子群の全ては、一括して「負側」金属周方向帯状体７８に接続される。このように、電磁石のコイル群の全てが実際には並列接続される。回転モータの電磁石に対する電流供給は、電源から、図４の配置と同様の配置の従来のブラシペア（図示せず）を介して行われる。更に詳細には、「正側」ブラシが正側帯状体７７に継続的に接触しているのに対し、負側ブラシは、負側帯状体７８に継続的に接触している。このように、実際に、ロータの電磁石群の各電磁石がそれぞれ、図１のモータの１つの永久磁石６１に置き換わって用いられる。動作状態では、各電磁石のコアが実際に、Ｎ極−Ｓ極を持つ磁石として機能し、「ソレノイド−永久磁石式モータ」の対応する永久磁石に機能的に置き換わって用いられる。電磁石群に流れ込む電流は、図４のモータについて上に説明した直流電流または交流電流のいずれかとすることができる。
【００２９】
本発明の幾つかの実施形態について例を通して説明してきたが、本発明は、多くの変形、変更、及び適合化を行って実施することができ、本発明の趣旨を逸脱しない限り、または特許請求の範囲を超えない限り、当業者が想到する範囲に収まる多数の均等物または代替解決策を用いて実施することができることが明らかであろう。
【図１】
2018534902.tif 000003
【図２】
2018534902.tif 000004
【図３】
2018534902.tif 000005
【図４】
2018534902.tif 000006
【図５】
2018534902.tif 000007
【手続補正書】
【提出日】平成29年9月5日(2017.9.5)
【手続補正１】
【補正対象書類名】明細書
【補正対象項目名】全文
【補正方法】変更
【補正の内容】
【発明の詳細な説明】
【技術分野】
【０００１】
本発明は、電動モータの分野に関するものである。更に詳細には、本発明は、ステータに設けられるソレノイドと、ロータに設けられる複数の電磁石と、を含む電動モータに関するものである。
【背景技術】
【０００２】
回転式の電動モータは良く知られており、現在では電気エネルギーを機械エネルギーに変換するために長きにわたり広く使用されている。通常の電動モータはロータ及びステータを備えている。
【０００３】
ロータはモータの可動部であり、ロータは、回転モーメントを負荷に伝達する回転シャフトを備える。ロータは通常、導体を備え、導体に電流を流して次に電磁場を生成し、電磁場がステータの磁場と相互作用してシャフトを回転させる力を発生させる。別の構成では、ロータが永久磁石を備えているのに対し、ステータは導体を備えている。
【０００４】
ステータは、今度は、モータの電磁気回路の固定部であり、前述した通り、巻線または永久磁石のいずれかを備える。ステータコアは通常、積層板と呼ばれる多くの薄い金属板により構成される。積層板を使用してエネルギー損失を低減させ、積層板を使用しないで中実コアを使用した場合にはエネルギー損失を伴う。
【０００５】
電動モータは、機械エネルギーを電気エネルギーに変換する逆変換機能にも使用され、このような場合では、電動モータは実際には、発電機である。
【０００６】
特許文献１には、ステータに設けられる複数のソレノイドと、ロータに設けられる複数の永久磁石と、を備える電動モータが開示されている。ステータのソレノイド群は、円形平面に半径方向に向いて配置され、かつ等角度で離間される；ソレノイド群の各ソレノイドは間隙を有し、この間隙内を、ロータの永久磁石が移動する。ロータが今度は、略環状構造に配置される前記複数の磁石を備え、前記磁石群は、等角度で互いに離間される。隣接する磁石の間の隙間（このような隙間が発生する場合の）には、高透磁性材料が充填されることが好ましい。いずれにしても、磁石及び高透磁性材料（充填する場合の）が環状構造を形成する。電流をソレノイド群の全てに同時に供給して、永久磁石群の全てを、ソレノイドに対して特定の方向に押すか、または引っ張ることにより、磁石リングが回転するようにする。特許文献１に記載の実施形態では、幾つかの更に別の環状層を永久磁石の環状層の上方及び下方に設け、前記層群の全てが一体となってソレノイドの間隙内を回転する。特許文献１に記載の前記更に別の環状層群のうちの１つの環状層は歯付き環状体であり、歯付き環状体が永久磁石層（及び、これらの層のうち、永久磁石層の上下の残りの層）の回転モーメントを歯付きディスク（機械式歯車）に伝達し、歯付きディスクは、当該歯付きディスクが回転すると、歯付きディスクに高剛性に取り付けられるモータのシャフトを回転させる。
【０００７】
同時係属中の英国特許出願第１５１１２２６．１号（特許文献２として刊行）には：（Ａ）ロータと；（Ｂ）ステータと、を備える電動モータが開示されており、ロータは：（ａ）同心円状のシャフト及びディスクと；（ｂ）前記ディスク上に等角度で離間され、かつ半径方向に向いて等間隔に配置される複数の永久磁石と、を備え、ステータは：（ｃ）等角度で離間され、かつ半径方向に向いて等間隔に配置される複数のソレノイドであって、前記ソレノイド群の各ソレノイドが、今度は矩形の断面形状を有するソレノイドコアと、空洞と、ディスクスロットと、を有する、前記複数のソレノイドと；（ｄ）前記ソレノイド群の各ソレノイド内のコイルと、を備え；前記ロータディスクは、前記ソレノイドスロット内に位置決めされ、前記永久磁石は、前記ロータディスクが回転しているときに、これらの永久磁石が、ソレノイドコアの前記空洞内を回転しながら通過することができるように配置される。電流をソレノイド群に供給して、永久磁石群を特定の方向に同時に押すか、または引っ張ることにより、磁石が回転するようにし、実際にロータディスクが回転するようにする。
【０００８】
上に説明したように、特許文献１及び特許文献２の両方に記載の電動モータはそれぞれ、永久磁石を電動モータのロータに備えている。しかしながら、永久磁石は、比較的高価であり、電磁石と比べると非常に高価である。従って、特許文献１及び特許文献２に記載のモータの永久磁石を電磁石に置き換えることが望ましい。
【０００９】
別の態様では、特許文献１及び特許文献２に記載のモータの両方において、ソレノイドコイルに供給される電流の方向を周期的に（すなわち、ディスクの各周期中に数回）切り替えて、電磁場の向きをそれぞれ変える必要がある。明らかに、永久磁石の極性を変えることはできないので、電流方向の変更が、回転を維持するための唯一の方法である。
【先行技術文献】
【特許文献】
【００１０】
【特許文献１】国際公開第２０１３／１４０４００号
【特許文献２】国際公開第２０１６／２０７８７７号
【発明の概要】
【発明が解決しようとする課題】
【００１１】
従って、本発明の目的は、特許文献１及び特許文献２に開示されているモータのようなソレノイド磁石式モータのコストを大幅に下げることを可能にすることにある。
【００１２】
本発明の別の目的は、特許文献１及び特許文献２に開示されているモータのようなソレノイド磁石式モータを回転させる方法のフレキシビリティを高めることを可能にすることにある。
【００１３】
本発明の他の目的及び利点は、説明が進むにつれて明らかになる。
【課題を解決するための手段】
【００１４】
本発明は電動モータに関するものであり、電動モータは：（Ａ）環状ロータであって、前記環状ロータが：等角度で離間され、かつ半径方向に向いて等間隔に環状に配置される複数の電磁石を含む、前記環状ロータと；（Ｂ）ステータであって、前記ステータが：等角度で離間され、かつ半径方向に向いて等間隔に配置される複数のソレノイドであって、前記ソレノイド群の各ソレノイドがソレノイドコアを有し、前記ソレノイドコアが今度は、矩形の断面形状と、空洞と、を有する、前記複数のソレノイドと；前記ソレノイド群の各ソレノイド内のソレノイドコイルと、を含む、前記ステータと、を備え；前記電磁石群は、これらの電磁石が、前記ソレノイドコアの前記空洞内を回転しながら移動することができるように配置され、前記複数の電磁石の負側コイル端子及び正側コイル端子がそれぞれ、それぞれの負側周方向帯状体及び正側周方向帯状体に並列接続され、前記電磁石コイルに流れ込む電流は、電源から２つのブラシを介してそれぞれ前記負側帯状体及び前記正側帯状体に供給される。
【００１５】
本発明の１つの実施形態では、前記ロータは多層モータであり、層群の１つの層が歯付き環状体であり、前記ロータの回転モーメントが、前記歯付き環状体から歯車に伝達され、前記歯車に対して、シャフトが高剛性に取り付けられる。
【００１６】
本発明の別の実施形態では、前記複数の電磁石は回転ディスクに取り付けられ、前記回転ディスクが今度は、シャフトと同心円状に設けられ、前記ロータディスクは、前記ソレノイド群の各ソレノイドのそれぞれのディスクスロット内に位置決めされ、それぞれのディスクスロット内を回転することができる。
【００１７】
前記電源から前記電磁石コイルに流れる前記電流がＤＣ電流であるのに対し、前記ソレノイドコイルに流れ込む電流は交流電流である。別の構成として、前記電源から前記電磁石コイルに流れる前記電流が交流電流であるのに対し、前記ソレノイドコイルに流れ込む電流はＤＣ電流である。
【図面の簡単な説明】
【００１８】
【図１】特許文献１に記載のモータの概略構造を示している。
【図２】特許文献２に記載のモータの概略構造を示している。
【図３】特許文献１に記載のモータのロータ構造を示している。
【図４】本発明の第１の実施形態によるソレノイド−電磁石式モータのロータを示している。
【図５】本発明の第２の実施形態によるソレノイド−電磁石式モータのロータを示している。
【発明を実施するための形態】
【００１９】
上に説明したように、ソレノイド及び永久磁石を組み合わせて使用するモータ、更に詳細には、永久磁石が、特許文献１及び特許文献２に開示されているモータのように、ソレノイド内の間隙内または空洞内を移動する構成のモータ（以後、この種類のモータは、「ｓｏｌｅｎｏｉｄ−ｐｅｒｍａｎｅｎｔ  ｍａｇｎｅｔｓ  ｔｙｐｅ  ｍｏｔｏｒｓ（ソレノイド−永久磁石式モータ）」と表記される）は、比較的高価であり、特に高価な永久磁石を使用しているために高価である。更に、これらのモータが動作するためには、電磁場の向きを頻繁に変える必要があり、電磁場の向きは、ソレノイドに供給される電流の方向を変えることによってのみ変えることができる。
【００２０】
図１は、特許文献１に記載のモータの概略構造を示している。モータは、各ソレノイドが間隙を有する構成の複数のソレノイド６２を有するステータと、環状構造に配置される複数の永久磁石６１を含むロータと、を備える。図１には図示されていないが、高透磁性材料から成るロッドを任意の２つの隣接する磁石２３の間に配置して環状構造を完成させる。電流をソレノイドのコイルに供給し、ソレノイドに供給する電流の方向を周期的に変えると、ロータの環状構造が回転する。ロータは更に、歯付き環状体１０１を備え、歯付き環状体１０１が回転モーメントを歯車６３及びシャフト６７に伝達する。モータ全体はベース６５により支持される。
【００２１】
図２は、特許文献２に記載のモータの概略構造を示している。モータは、各ソレノイドが空洞を有する構成の複数のソレノイド３１ａ〜３１ｈを有するステータと、環状構造に配置される複数の永久磁石２３ａ〜２３ｈを含むロータと、を備える（環状構造は図２に明確には図示されていないが、図３に示されている）。環状構造に配置される永久磁石２３は、支持用ディスク２２上に配置される。上に説明したように、図２には図示されていないが、強磁性（例えば、鉄）ロッドが、任意の２つの隣接する磁石２３の間に配置されて環状構造を完成させる。ソレノイド３１を、電流（電流の方向は適宜入れ替わる）を供給することにより適切に作動させると、ロータ、すなわちディスク２２が回転する。ロータは更に、ディスク２２に高剛性に取り付けられるシャフト２１を備える。モータ全体はベース３２により支持される。
【００２２】
図３は、特許文献１に記載のモータのロータ構造（ディスク２２は、図を分かり易くするために図から削除されている）を示しており、任意の隣接する永久磁石ペアの間に配置される強磁性（例えば、鉄）ロッド２５ａ〜２５ｈが更に図示されている。
【００２３】
本発明の発明者らは、このような「ｓｏｌｅｎｏｉｄ−ｐｅｒｍａｎｅｎｔ  ｍａｇｎｅｔｓ  ｔｙｐｅ  ｍｏｔｏｒｓ（ソレノイド−永久磁石式モータ）」のコストは、ロータに設けられる永久磁石群の各永久磁石を適切な電磁石に置き換えることにより大幅に低減させることができるという知見を得ている。
【００２４】
図４は、本発明によるソレノイド−電磁石式モータのロータを示している。ロータは図３のロータとほぼ同じであるが、磁石２３ａ〜２３ｈの各磁石が電磁石１２３ａ〜１２３ｈにそれぞれ置き換えられている。電磁石群１２３の各電磁石は、鉄コア（好適には、積層コア）に巻回される１本以上のコイル（図を分かり易くするために、この図には図示されていない）を備える。従来と同じく、各コイルは、電流供給がそれぞれに対して行われる２つのエンド部を有し、これらのコイルエンド部は、本明細書においては、簡潔性を期して、コイルの「正側」端子及び「負側」端子と表記することとする。電磁石１２３のコイルの正側端子群の全ては、一括して「正側」金属周方向帯状体１４４に接続され、同様に、電磁石１２３のコイルの負側端子群の全ては、一括して「負側」金属周方向帯状体１４５に接続される。このように、電磁石のコイル群の全ては実際には、並列接続される。回転モータの電磁石１２３に対する電流供給は、電源１４６から、この技術分野で公知の従来のブラシペア１４７ａ及び１４７ｂを介して行われる。更に詳細には、「正側」ブラシ１４７ａが、正側帯状体１４４に継続的に接触しているのに対し、「負側」ブラシ１４７ｂは、負側帯状体１４５に継続的に接触している。このように、実際に、電磁石１２３ａ〜１２３ｈの各電磁石がそれぞれ、１つの永久磁石２３ａ〜２３ｈに置き換わって用いられる。動作状態では、各電磁石のコアは、実際には、Ｎ極−Ｓ極を持つ磁石として機能し、「ソレノイド−永久磁石式モータ」の対応する永久磁石に機能的に置き換わって用いられる。
【００２５】
図４に示すように電流を電磁石にブラシ及び帯状体１４４及び１４５のそれぞれを介して供給する方法は一例に過ぎないことに留意されたい。この技術分野で公知の他の装置及び方法を別の構成として使用することができる。
【００２６】
各電磁石が図１〜図３のモータのそれぞれの永久磁石と同様に機能するために、ＤＣ（直流）電流を電源１４６から供給する必要がある。
【００２７】
別の構成として、電源１４６は、交流電流を電磁石１２３に適宜供給する（ブラシ１４７ａ及び１４７ｂを介して）ことにより、電磁石のコアのＮ極−Ｓ極を交互に周期的に変えることができる。従って、このようにして、ソレノイドコアの極性を交互に周期的に変えるのではなく、後者の本実施形態では、ロータ電磁石の極性を変える。
【００２８】
図５は、図１のモータ（すなわち、特許文献１に記載のモータ）を変更して、永久磁石ではなく電磁石を取り入れる過程を示している。図１の永久磁石群６１の各永久磁石は、対応する電磁石（分かり易くするために図５には図示されていない）に置き換えられる。前記電磁石群の各電磁石は、鉄コアに巻回される１本以上のコイル（分かり易くするためにこの図には図示されていない）を備える。従来のように、各コイルは２つの端子、負側端子及び正側端子をそれぞれ有する。図４のモータと同様に、電磁石のコイルの正側端子群の全ては、一括して「正側」金属周方向帯状体７７に接続され、同様に、電磁石のコイルの負側端子群の全ては、一括して「負側」金属周方向帯状体７８に接続される。このように、電磁石のコイル群の全てが実際には並列接続される。回転モータの電磁石に対する電流供給は、電源から、図４の配置と同様の配置の従来のブラシペア（図示せず）を介して行われる。更に詳細には、「正側」ブラシが正側帯状体７７に継続的に接触しているのに対し、負側ブラシは、負側帯状体７８に継続的に接触している。このように、実際に、ロータの電磁石群の各電磁石がそれぞれ、図１のモータの１つの永久磁石６１に置き換わって用いられる。動作状態では、各電磁石のコアが実際に、Ｎ極−Ｓ極を持つ磁石として機能し、「ソレノイド−永久磁石式モータ」の対応する永久磁石に機能的に置き換わって用いられる。電磁石群に流れ込む電流は、図４のモータについて上に説明した直流電流または交流電流のいずれかとすることができる。
【００２９】
本発明の幾つかの実施形態について例を通して説明してきたが、本発明は、多くの変形、変更、及び適合化を行って実施することができ、本発明の趣旨を逸脱しない限り、または特許請求の範囲を超えない限り、当業者が想到する範囲に収まる多数の均等物または代替解決策を用いて実施することができることが明らかであろう。
【国際調査報告】
2018534902.tif 000008
2018534902.tif 000009
2018534902.tif 000010
2018534902.tif 000011